(57)【要約】【課題】第１剤と第２剤を自由に組み合わせて混合可能な二剤混合容器を提案する。【解決手段】本発明に係る二剤混合容器１００は、第１剤を収容する第１容器体１０と、第１容器体１０に上方から装着可能なキャップ本体２０と、第２剤を収容する第２容器体５０と、第２容器体５０に上方から装着される蓋板６１とを備え、第２容器体５０は、上方から第１容器体１０に装着可能であり、第２容器体５０が第１容器体１０に装着されると、第１押圧部３５が第２容器体５０の底部５７を押圧し、第１弱化部５７ａが破断して収容空間Ｓ１及びＳ２が連通し、キャップ本体２０は、注出孔１４ａを有すると共に、上方から第２容器体５０にも装着可能であり、キャップ本体２０が第２容器体５０に装着されると、キャップ本体２０の第２押圧部２３が蓋板６１を押圧し、第２弱化部６１ａが破断して収容空間Ｓ２と注出孔１４ａとが連通することを特徴とする。【選択図】図１
2018070231.tif 000002
【特許請求の範囲】
【請求項１】
第１剤を収容する第１容器体と、該第１容器体の上部開口を上方から覆った状態で該第１容器体に装着し取り外し可能なキャップ本体とを有する第１容器組立体と、
第２剤を収容する第２容器体と、該第２容器体の上部開口を上方から覆った状態で該第２容器体に装着される蓋板とを有する第２容器組立体と
を備える二剤混合容器であって、
前記第２容器体は、該第２容器体の底部が前記第１容器体の上部開口を上方から覆った状態で該第１容器体に装着可能であり、該第２容器体が該第１容器体に装着されると、該第１容器体の第１押圧部が該第２容器体の底部を押圧し、該底部に設けられた第１弱化部が破断して、該第１容器体の収容空間と該第２容器体の収容空間とが連通し、
前記キャップ本体は、注出孔を有すると共に、前記第２容器体の上部開口を上方から覆った状態で該第２容器体にも装着可能であり、該キャップ本体が該第２容器体に装着されると、該キャップ本体の第２押圧部が該蓋板を押圧し、該蓋板に設けられた第２弱化部が破断して、前記第２容器体の収容空間と前記注出孔とが連通することを特徴とする二剤混合容器。
【請求項２】
前記第１押圧部及び前記第２押圧部の少なくとも一方の押圧面は、中心軸線と直交する面に対して傾斜している、請求項１に記載の二剤混合容器。
【請求項３】
前記第１弱化部及び前記第２弱化部の少なくとも一方に隣接してヒンジ部が設けられている、請求項１又は２に記載の二剤混合容器。
【発明の詳細な説明】
【技術分野】
【０００１】
本発明は、二剤を分離した状態で収容し、使用時に混合可能な二剤混合容器に関するものである。
【背景技術】
【０００２】
第１剤と第２剤とを混合して使用する飲料、薬剤等には、使用直前に混合しないと風味や効力が失われるものがあり、そのような場合には、第１剤と第２剤を個別の容器に収容して保存し、使用直前に混合して使用する必要がある。そのような使い方に対応した容器として例えば、特許文献１には、種類の異なる内容物をそれぞれ充填した収納体を二つ用意してこれを二段重ねに構成し、使用時に一方の収納体を回動させて各収納体を相互に隔絶する底蓋を下側に位置する収納体に向けて落下させることによって両収納体につながる開口を形成して二剤を混合するようにした、二剤混合容器が開示されている。
【先行技術文献】
【特許文献】
【０００３】
【特許文献１】特許第４０９４３２０号明細書
【発明の概要】
【発明が解決しようとする課題】
【０００４】
しかし、特許文献１に記載の二剤混合容器では、二つの収納体が終始連結されているため、混合する２つの内容物の組み合わせを容易に変更することができなかった。
【０００５】
本発明は、このような問題点を解決することを課題とするものであり、その目的は、第１剤と第２剤を自由に組み合わせて混合可能な二剤混合容器を提案することである。
【課題を解決するための手段】
【０００６】
本発明は、第１剤を収容する第１容器体と、該第１容器体の上端開口を上方から覆った状態で該第１容器体に装着し取り外し可能なキャップ本体とを有する第１容器組立体と、
第２剤を収容する第２容器体と、該第２容器体の上部開口を上方から覆った状態で該第２容器体に装着される蓋板とを有する第２容器組立体と
を備える二剤混合容器であって、
前記第２容器体は、該第２容器体の底部が前記第１容器体の上部開口を上方から覆った状態で該第１容器体に装着可能であり、該第２容器体が該第１容器体に装着されると、該第１容器体の第１押圧部が該第２容器体の底部を押圧し、該底部に設けられた第１弱化部が破断して、該第１容器体の収容空間と該第２容器体の収容空間とが連通し、
前記キャップ本体は、注出孔を有すると共に、前記第２容器体の上部開口を上方から覆った状態で該第２容器体にも装着可能であり、該キャップ本体が該第２容器体に装着されると、該キャップ本体の第２押圧部が該蓋板を押圧し、該蓋板に設けられた第２弱化部が破断して、前記第２容器体の収容空間と前記注出孔とが連通することを特徴とする二剤混合容器である。
【０００７】
また、前記第１押圧部及び前記第２押圧部の少なくとも一方の押圧面は、中心軸線と直交する面に対して傾斜していることが好ましい。
【０００８】
また、前記第１弱化部及び前記第２弱化部の少なくとも一方に隣接してヒンジ部が設けられていることが好ましい。
【発明の効果】
【０００９】
本発明によれば、第１剤と第２剤を自由に組み合わせて混合可能な二剤混合容器を提案することができる。
【図面の簡単な説明】
【００１０】
【図１】本発明の一実施形態に係る二剤混合容器を構成する第１容器組立体及び第２容器組立体の半断面図である。
【図２】本発明の一実施形態に係る二剤混合容器において、第２容器体を上方から第１容器体に装着している状態を示す半断面図である。
【図３】本発明の一実施形態に係る二剤混合容器において、第１剤と第２剤を混合した後、キャップ本体を上方から第２容器体に装着している状態を示す半断面図である。
【図４】本発明の一実施形態に係る二剤混合容器において、キャップ本体が装着され、混合された内容物を注出可能な状態を示す半断面図である。
【発明を実施するための形態】
【００１１】
以下、図面を参照して、本発明をより具体的に説明する。
【００１２】
図１に示す本発明の一実施形態である二剤混合容器１００は、第１剤Ａを収容する第１容器体１０と、第１容器体１０の上部開口１５を上方から覆った状態で第１容器体１０に装着し取り外し可能なキャップ本体２０と、キャップ本体２０の注出孔１４ａを上方から覆う蓋体４０とを有する第１容器組立体７０を備えている。また、二剤混合容器１００は、第２剤Ｂを収容する第２容器体５０と、第２容器体５０の上部開口５８を上方から覆った状態で第２容器体５０に装着される蓋板６１とを有する第２容器組立体８０を備えている。なお、本明細書、特許請求の範囲、要約書および図面では、キャップ本体２０及び蓋板部材６０が位置する側を上方（図１における上側）とし、第１容器体１０及び第２容器体５０が位置する側を下方（図１における下側）とする。また、径方向外側とは、図１における二剤混合容器１００の中心軸線Ｏを通り中心軸線Ｏに垂直な直線に沿って外側に向かう方向であり、径方向内側とは、当該直線に沿って中心軸線Ｏに向かう方向を指すものとする。
【００１３】
第１容器体１０は、第１剤Ａを収容する収容空間Ｓ１を有する容器体であり、上部開口１５を有し後述するキャップ本体２０がねじ係合により固定される円筒状の口部１１と、口部１１に連なり収容空間Ｓ１を形成する略円筒形状の胴部１７と、胴部１７の下端を閉塞する底部１８とを備える。口部１１の径方向外側面には、キャップ本体２０の外周壁２１の径方向内側面に設けられた雌ねじ部２１ａにねじ係合させてキャップ本体２０を第１容器体１０に固定するための雄ねじ部１１ａが設けられている。また、口部１１上端の係合壁１１ｂの先端には、後述する押圧部材３０の係合突起３３ａをアンダーカット係合させて押圧部材３０を口部１１に固定するための突部１１ｃが径方向外側方向に向けて突出している。なお、第１容器体１０の材質には、例えばポリオレフィン系、ポリエステル系、ポリエーテル系あるいはポリスチレン系などの各種熱可塑性樹脂やガラス等を用いることができる。
【００１４】
第１容器体１０の口部１１の上方には、後述するように、第２容器体５０の底部５７を押圧するための第１押圧部３５を有する押圧部材３０が固定されている。押圧部材３０は、口部１１の径方向内側において上下方向に延びるベース壁３１と、ベース壁３１の下端から径方向内側に延びる底壁３４を介してベース壁３１に連結される第１押圧部３５と、ベース壁３１の上端から径方向外側に延びる上壁３２を介してベース壁３１に連結される係合壁３３とを有する。第１押圧部３５は略円筒形状を有する筒状部材であり、その上端面（押圧面）は、図１に示すように、中心軸線Ｏに直交する面に対して緩やかな傾斜を有している。係合壁３３の下端部には、先述の係合突起３３ａが径方向内側方向に突出している。
【００１５】
キャップ本体２０は、口部１１を径方向外側から包囲する外周壁２１と、外周壁２１の上端部から径方向内側方向に延びる頂壁２２と、頂壁２２の上面において中心軸線Ｏの近傍に設けられた注出筒１４と、頂壁２２の下面から下方に垂下する第２押圧部２３とを備える。外周壁２１の径方向内側面には、キャップ本体２０を第１容器体１０の口部１１に固定するための雌ねじ部２１ａが設けられている。また、第２押圧部２３は、後述するように、キャップ本体２０を第２容器体５０に上方から装着したときに、第２容器体５０の上端に取り付けられた蓋板６１を押圧して第２弱化部６１ａを破断させる。注出筒１４の径方向内側には、使用時に収容空間Ｓ１，Ｓ２内の混合された内容物を注出するための注出孔１４ａが形成されている。また、注出筒１４の径方向外側には、後述する蓋体４０をねじ係合により固定するための雄ねじ部１４ｂが設けられている。
【００１６】
蓋体４０は、図１に示すように、緩やかなＲを有する上壁４２と、上壁４２の縁部から下方に延びる蓋体周壁４１と、上壁４２の中心軸線Ｏ近傍の位置から下方に垂下するシール筒４４とを有する。蓋体４０が閉塞されているとき、シール筒４４の径方向外側面が注出筒１４の径方向内側面に当接することによって、内容物の漏出を防止することができる。
【００１７】
第２容器体５０は、第２剤を収容する収容空間Ｓ２を有する容器体であり、収容空間Ｓ２を形成する胴部周壁５１と、胴部周壁５１の上端に設けられている係合壁５１ｂと、胴部周壁５１の下端から径方向外側及び内側に延びる段部５２と、段部５２の径方向外側端から下方に垂下する外周壁５３と、段部５２の径方向内側端から下方に垂下する内周壁５５と、内周壁５５の下端に連結された底部５７とを備える。胴部周壁５１の上端部近傍における径方向外側面には、雄ねじ部５１ａが形成されており、第１容器組立体７０を構成するキャップ本体２０がこの第２容器体５０に対しても上方から装着可能に構成されている。すなわち、雄ねじ部５１ａは、第１容器体１０の口部１１に形成されている雄ねじ部１１ａと有効径、ピッチ等が等しくなるように構成されている。係合壁５１ｂの上端部には、突部５１ｃが径方向外側方向に突出するように設けられており、後述する蓋板部材６０の係合突起６５ａを突部５１ｃにアンダーカット係合させることにより、蓋板部材６０を第２容器体５０に固定することができる。
【００１８】
第２容器体５０の外周壁５３の径方向内側面には雌ねじ部５３ａが形成されている。この雌ねじ部５３ａは、後述するように、第２容器体５０を上方から第１容器体１０に固定する際に、口部１１に設けられた雄ねじ部１１ａにねじ係合させるために設けられている。従って、雌ねじ部５３ａは、キャップ本体２０に設けられている雌ねじ部２１ａと同様に、雄ねじ部１１ａに適合するような有効径、ピッチ等で構成されている。
【００１９】
第２容器体５０の内周壁５５の下端部には、胴部周壁５１及び内周壁５５と共に収容空間Ｓ２を形成する底部５７が設けられている。底部５７の外周端近傍には、図１に示すように、円弧状に第１弱化部５７ａが設けられている。第１弱化部５７ａは、底部５７の上面にＶ字状の溝を設けることによって形成された、幅、厚み共に小さな薄肉部である。また、円周上の１箇所において、第１弱化部５７ａに隣接してヒンジ部５７ｂが設けられている。ヒンジ部５７ｂは、第１弱化部５７ａの厚みよりも厚く形成されており、後述するように底部５７に第１押圧部３５からの押圧力が加わっても、ヒンジ部５７ｂは破断せず、第１弱化部５７ａのみが破断するように構成されている。
【００２０】
第２容器体５０における胴部周壁５１の上方には、蓋板部材６０が取り付けられている。蓋板部材６０は、第２容器体５０の上部開口５８を閉塞する蓋板６１と、蓋板６１の外周縁から上下方向に延びる蓋板筒部６３と、蓋板筒部６３の上端から径方向外側に延びる上壁６４を介して蓋板筒部６３に連結される係合壁６５とを有する。係合壁６５の下端部には、先述の係合突起６５ａが径方向内側方向に突出している。
【００２１】
蓋板６１の外周端近傍には、図１に示すように、円弧状に第２弱化部６１ａが設けられている。第２弱化部６１ａは、蓋板６１の上面にＶ字状の溝を設けることによって形成された、幅、厚み共に小さな薄肉部である。また、円周上の１箇所において、第２弱化部６１ａに隣接してヒンジ部６１ｂが設けられている。ヒンジ部６１ｂは、第２弱化部６１ａの厚みよりも厚く形成されており、後述するように蓋板６１に第２押圧部２３からの押圧力が加わっても、ヒンジ部６１ｂは破断せず、第２弱化部６１ａのみが破断するように構成されている。
【００２２】
なお、キャップ本体２０、押圧部材３０、蓋体４０、第２容器体５０、及び蓋板部材６０の材質には、例えばポリオレフィン系、ポリエステル系、ポリエーテル系あるいはポリスチレン系などの各種熱可塑性樹脂を用いることができる。
【００２３】
次に、このような構成の二剤混合容器１００の使用方法について説明する。
【００２４】
まず、利用者は、図１に示す第１容器組立体７０からキャップ本体２０を蓋体４０と共に取り外し、図２に示すように、第２容器組立体８０を、第１容器体１０に対して上方から装着する。第２容器組立体８０を構成する第２容器体５０の雌ねじ部５３ａは、キャップ本体２０の雌ねじ部２１ａと同様に第１容器体１０の雄ねじ部１１ａに適合するので、第２容器体５０の雌ねじ部５３ａを第１容器体１０の雄ねじ部１１ａにねじ係合させることにより、第２容器組立体８０を第１容器体１０に対して固定することができる。
【００２５】
図２は、第１容器体１０に固定されている押圧部材３０の第１押圧部３５が第２容器体５０の底部５７に当接するまで、雌ねじ部５３ａを雄ねじ部１１ａに対して締め込んだ状態を示している。第１押圧部３５は、底部５７における第１弱化部５７ａよりも僅かに径方向内側部分に当接している。また、第１押圧部３５は、ヒンジ部５７ｂの径方向内側寄りの部分に当接している。
【００２６】
図２において、利用者が、第２容器体５０を更に回転させて第１容器体１０に対するねじ係合を進めていくと、第１容器体１０に固定されている第１押圧部３５が底部５７を上方に押圧するため、底部５７に設けられた第１弱化部５７ａが破断を開始する。第１押圧部３５は、図１に示すように、上端面（押圧面）が中心軸線Ｏに直交する面に対して僅かに傾斜しているため、第１押圧部３５が底部５７に当接を開始した直後は、第１押圧部３５上端における円周上の一部分のみが底部５７に当接して押圧する。従って、第１押圧部３５が底部５７を局所的に押圧するので、第１弱化部５７ａの円周上の一部から容易に破断を開始させることができる。
【００２７】
図３は、利用者が、第２容器体５０の段部５２の下面に押圧部材３０の上壁３２が当接するまで、第１容器体１０に対する第２容器体５０のねじ係合を進めた状態を示す図である。第１押圧部３５の上端面（押圧面）が底部５７に設けられているヒンジ部５７ｂの横を上方に通過し、図１に示す第１弱化部５７ａはほぼ全ての領域が破断している。底部５７は、ヒンジ部５７ｂを支点に９０度回転して上方に向かって延びており、第１容器体１０の収容空間Ｓ１と第２容器体５０の収容空間Ｓ２は、この底部５７の開放により連通する。このように、底部５７は、ヒンジ部５７ｂを介して第２容器体５０と連結された状態を維持しつつ第１押圧部３５と内周壁５５との間で狭持されるので、底部５７が離脱して収容空間Ｓ１及びＳ２の中を浮遊することがなく、二剤混合容器１００の見栄えを損ねることがない。なお、本実施形態では、底部５７が、ヒンジ部５７ｂを支点に９０度回転した姿勢で挟持され固定されるように構成したが、この態様には限定されない。第１容器体１０の収容空間Ｓ１と第２容器体５０の収容空間Ｓ２とが連通すればよく、底部５７が挟持される角度は９０度以外であってもよい。
【００２８】
収容空間Ｓ１及びＳ２の連通によって、収容空間Ｓ１，Ｓ２内の第１剤Ａ及び第２剤Ｂを混合可能な状態となる。利用者は、第２容器体５０を第１容器体１０に対して完全に固定した状態で容器を十分に振り、第１剤Ａ及び第２剤Ｂを収容空間Ｓ１，Ｓ２内で混合させる。
【００２９】
利用者は、第１剤Ａ及び第２剤Ｂを混合させた後、図３に太線矢印で示すように、第１容器組立体７０から取り外したキャップ本体２０を、第２容器体５０に対して上方から装着する。先述のように、第２容器体５０の雄ねじ部５１ａは第１容器体１０の雄ねじ部１１ａと同様に、キャップ本体２０の雌ねじ部２１ａに適合可能に構成されている。従って、利用者は、キャップ本体２０を中心軸線Ｏ周りに回転させ、上方から第２容器体５０に装着することができる。
【００３０】
キャップ本体２０に設けられた第２押圧部２３は、上述の第１押圧部３５と同様に、その下端面（押圧面）が中心軸線Ｏに直交する面に対して僅かに傾斜している。従って、キャップ本体２０の雌ねじ部２１ａを第２容器体５０の雄ねじ部５１ａに対して締め込んでいくと、第２押圧部２３の下端面（押圧面）の円周上の一部分が第２容器組立体８０の蓋板６１に当接する。従って、第２押圧部２３が蓋板６１を局所的に押圧するので、更なるキャップ本体２０の締め込みにより第２弱化部６１ａの円周上の一部から容易に破断を開始させることができる。
【００３１】
図４は、キャップ本体２０を第２容器組立体８０に対して完全にねじ係合させて、蓋板部材６０の上壁６４がキャップ本体２０の頂壁２２に当接した状態を示している。第２押圧部２３の下端面（押圧面）が蓋板６１に設けられているヒンジ部６１ｂの横を下方に通過し、図１に示す第２弱化部６１ａはほぼ全ての領域が破断している。蓋板６１は、ヒンジ部６１ｂを支点に９０度近く回転して下方に向かって延びており、キャップ本体２０の注出孔１４ａと第２容器体５０の収容空間Ｓ２は、この蓋板６１の開放により連通する。このように、蓋板６１は、ヒンジ部６１ｂを介して第２容器体５０と連結された状態が維持されるので、蓋板６１が離脱して収容空間Ｓ１及びＳ２の中を浮遊することがなく、二剤混合容器１００の見栄えを損ねることがない。なお、本実施形態では、蓋板６１が、ヒンジ部６１ｂを支点に９０度近く回転した姿勢で挟持され固定されるように構成したが、この態様には限定されない。収容空間Ｓ１、Ｓ２と注出孔１４ａとが連通すればよく、蓋板６１が挟持される角度は上記以外であってもよい。
【００３２】
以上の操作によって、収容空間Ｓ１及びＳ２と注出孔１４ａが連通したので、利用者は、キャップ本体２０から蓋体４０を取り外し、二剤混合容器１００を図４に示す正立姿勢から倒立姿勢へと傾斜させることにより、混合された内容物を注出孔１４ａから注出することができる。
【００３３】
なお、上記の使用時の説明においては、第２容器組立体８０を上方から第１容器体１０に完全にねじ係合させて収容空間Ｓ１とＳ２を連通させ、第１剤Ａと第２剤Ｂを混合させた後に、キャップ本体２０を第２容器組立体８０に装着して内容物を注出可能となるようにしたが、この態様には限定されない。第２容器組立体８０を第１容器体１０に対して仮固定した状態（収容空間Ｓ１とＳ２はまだ連通していない。）から、キャップ本体２０を第２容器組立体８０に対して完全にねじ係合させて蓋板６１を開放し、その後に第２容器組立体８０を第１容器体１０に対して完全にねじ係合させて収容空間Ｓ１とＳ２とを連通させてもよい。この場合、蓋体４０を用いることが好ましい。
【００３４】
また、本実施形態では、第１容器組立体７０がキャップ本体２０の注出孔１４ａを閉塞する蓋体４０を有するように構成したが、この態様には限定されず、蓋体４０を用いない構成としてもよい。
【００３５】
また、本実施形態では、押圧部材３０を第１容器体１０とは別部品として、アンダーカット係合により第１容器体１０に装着可能に構成したが、この態様には限定されず、第１容器体１０と第１押圧部３５とを一体部品として構成してもよい。
【００３６】
また、本実施形態では、第２押圧部２３をキャップ本体２０と一体化して構成したが、この態様には限定されず、キャップ本体２０と第２押圧部２３とを別部材として構成してもよい。
【００３７】
以上述べたように、本実施形態においては、第１剤Ａを収容する第１容器体１０と、第１容器体１０の上部開口１５を上方から覆った状態で第１容器体１０に装着し取り外し可能なキャップ本体２０とを有する第１容器組立体７０と、第２剤Ｂを収容する第２容器体５０と、第２容器体５０の上部開口５８を上方から覆った状態で第２容器体５０に装着される蓋板６１とを有する第２容器組立体８０とを備えるように構成した。そして、第２容器体５０は、第２容器体５０の底部５７が第１容器体１０の上部開口１５を上方から覆った状態で第１容器体１０に装着可能であり、第２容器体５０が第１容器体１０に装着されると、第１容器体１０の第１押圧部３５が第２容器体５０の底部５７を押圧し、底部５７に設けられた第１弱化部５７ａが破断して、第１容器体１０の収容空間Ｓ１と第２容器体５０の収容空間Ｓ２とが連通し、キャップ本体２０は、注出孔１４ａを有すると共に、第２容器体５０の上部開口５８を上方から覆った状態で第２容器体５０にも装着可能であり、キャップ本体２０が第２容器体５０に装着されると、キャップ本体２０の第２押圧部２３が蓋板６１を押圧し、蓋板６１に設けられた第２弱化部６１ａが破断して、第２容器体５０の収容空間Ｓ２と注出孔１４ａとが連通するように構成した。これによって、第１剤Ａを収容する第１容器組立体７０と第２剤Ｂを収容する第２容器組立体８０とを自由に組み合わせて混合し、使用することができる。従って、例えば、第１容器組立体７０に主剤を収容すると共に、複数種類の副剤ごとに個別の第２容器組立体８０に収容し、第１容器組立体７０に対して複数種類の中から一の第２容器組立体８０を選択して組み合わせることにより、主剤に対して複数種類の副剤の中から一種類を選択し、混合して使用することができる。また、複数種類の主剤ごとに個別の第１容器組立体７０に収容すると共に、複数種類の副剤ごとに個別の第２容器組立体８０に収容し、複数種類の主剤、及び複数種類の副剤の中からそれぞれ１種類ずつ選択し、混合して使用することもできる。
【００３８】
また、従来、第１剤と第２剤の組み合わせを変えて使用することができる二剤混合容器では、混合時に第１剤の容器用キャップ又は第２剤の容器用キャップのいずれかを廃棄する必要があったが、本実施形態では、図４に示すように、第１容器組立体７０及び第２容器組立体８０の全ての部材を用いつつ内容物を使用することができる。そのため、混合時にキャップを廃棄する必要がなく、内容物の使用終了時に図４に示す容器を一度に廃棄すればよい。
【００３９】
また、本実施形態においては、第１押圧部３５及び第２押圧部２３の押圧面が、中心軸線Ｏと直交する面に対して僅かに傾斜するように構成した。これによって、押圧面の円周上の一部分が底部５７及び蓋板６１に当接する。従って、押圧面が底部５７及び蓋板６１を局所的に押圧するので、第１弱化部５７ａ及び第２弱化部６１ａの円周上の一部から容易に破断を開始させることができる。
【００４０】
また、本実施形態においては、第１弱化部５７ａ及び第２弱化部６１ａに隣接してヒンジ部５７ｂ、６１ｂを設けるように構成した。これによって、第１弱化部５７ａ及び第２弱化部６１ａが破断しても、ヒンジ部５７ｂ、６１ｂによって底部５７及び蓋板６１が第２容器体５０及び第１容器体１０と連結された状態を維持することができる。従って、底部５７及び蓋板６１が離脱して収容空間Ｓ２及びＳ１の中を浮遊することがなく、二剤混合容器１００の見栄えを損ねることがない。
【００４１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００４２】
１０      第１容器体
１１      口部
１１ａ    雄ねじ部
１１ｂ    係合壁
１１ｃ    突部
１４      注出筒
１４ａ    注出孔
１４ｂ    雄ねじ部
１５      上部開口
１７      胴部
１８      底部
２０      キャップ本体
２１      外周壁
２１ａ    雌ねじ部
２２      頂壁
２３      第２押圧部
３０      押圧部材
３１      ベース壁
３２      上壁
３３      係合壁
３３ａ    係合突起
３４      底壁
３５      第１押圧部
４０      蓋体
４１      蓋体周壁
４２      上壁
４４      シール筒
５０      第２容器体
５１      胴部周壁
５１ａ    雄ねじ部
５１ｂ    係合壁
５１ｃ    突部
５２      段部
５３      外周壁
５３ａ    雌ねじ部
５５      内周壁
５７      底部
５７ａ    第１弱化部
５７ｂ    ヒンジ部
５８      上部開口
６０      蓋板部材
６１      蓋板
６１ａ    第２弱化部
６１ｂ    ヒンジ部
６３      蓋板筒部
６４      上壁
６５      係合壁
６５ａ    係合突起
７０      第１容器組立体
８０      第２容器組立体
１００    二剤混合容器
Ａ        第１剤
Ｂ        第２剤
Ｏ        中心軸線
Ｓ１，Ｓ２  収容空間
【図１】
2018070231.tif 000003
【図２】
2018070231.tif 000004
【図３】
2018070231.tif 000005
【図４】
2018070231.tif 000006